(57)【要約】【課題】弾力性及び防草性に優れ、再施工しやすい舗装方法の提供を目的とする。【解決手段】植物由来の有機物で形成した有機層と、遮水性を有するシート材からなる防草シート層との組み合せからなる舗装体を整地面の上に積層することを特徴とする。  ここで有機層とは、藁や木材チップといった植物由来のものを用いて形成する趣旨であり、木材チップは廃材をチップにして用いるとよい。  有機層と防水シート層はどちらを上にして積層しても良いが、防水シート層を上にした場合には防水シート層の上に例えばアスファルト層を設けて防水シート層を保護すると良い。【選択図】  図１
2008025228.tif 000002
【特許請求の範囲】
【請求項１】
植物由来の有機物で形成した有機層と、
遮水性を有するシート材からなる防草シート層との組み合せからなる舗装体を整地面の上に積層することを特徴とする整地面の舗装方法。
【請求項２】
整地面の上に藁むしろ材に除草剤を散布して形成した有機層を形成し、
有機層の上に防草シート層を形成し、
防草シート層の上にアスファルト層を形成することを特徴とする請求項１記載の整地面の舗装方法。
【請求項３】
整地面の上に防草シート層を形成し、
防草シート層の上に木材チップを転圧敷設し、
木材チップ層に除草剤とアスファルト乳剤との混合乳剤を散布して有機層を形成することを特徴とする整地面の舗装方法。
【発明の詳細な説明】
【技術分野】
【０００１】
本発明は、整地面の舗装方法に関する。
【背景技術】
【０００２】
路床整地面には広くアスファルト舗装が採用されている。
しかし、路床整地面に直接アスファルト舗装すると再舗装や再開発時のアスファルト剥離作業が大変であった。
また、舗装面の弾力性に劣る問題もあった。
特開平１１−３２２３８６号公報には、穀物種子などの草本植物廃棄物を用いた弾性舗装体を開示するが、弾性舗装体が透水性を有するため整地面（路床）から植物が生育してしまう問題があった。
【０００３】
【特許文献１】特開平１１−３２２３８６号公報
【発明の開示】
【発明が解決しようとする課題】
【０００４】
本発明は上記技術的課題に鑑みて、弾力性及び防草性に優れ、再施工しやすい舗装方法の提供を目的とする。
【課題を解決するための手段】
【０００５】
本発明の技術的要旨は、植物由来の有機物で形成した有機層と、遮水性を有するシート材からなる防草シート層との組み合せからなる舗装体を整地面の上に積層することを特徴とする。
【０００６】
ここで有機層とは、藁や木材チップといった植物由来のものを用いて形成する趣旨であり、木材チップは廃材をチップにして用いるとよい。
有機層と防水シート層はどちらを上にして積層しても良いが、防水シート層を上にした場合には防水シート層の上に例えばアスファルト層を設けて防水シート層を保護すると良い。
【０００７】
請求項２記載の発明の技術的要旨は、整地面の上に藁むしろ材に除草剤を散布して形成した有機層を形成し、有機層の上に防草シート層を形成し、防草シート層の上にアスファルト層を形成することを特徴とする。
【０００８】
請求項３記載の発明の技術的要旨は、整地面の上に防草シート層を形成し、防草シート層の上に木材チップを転圧敷設し、木材チップ層に除草剤とアスファルト乳剤との混合乳剤を散布して有機層を形成することを特徴とする。
【発明の効果】
【０００９】
本発明に係る舗装方法においては、遮水性の防草シート層と植物由来の有機層とを組み合せて整地面に舗装することにより雑草の生育を防止し、適度な弾力性を付加することで歩行感を良くし、また、舗装上の人に伝わる（例えば鉄道高架橋からなどの）周囲からの振動を緩和させることが出来る。
【００１０】
有機層を藁むしろ材を用いて形成した場合には、藁むしろ材を形成する藁が整地面にからみ、舗装強度を高めることが出来る。
また、藁むしろ材に散布した除草剤が整地面から雑草が生えるのを効果的に防止する。
【００１１】
有機層を木材チップを用いて形成した場合には、木材チップに除草剤とアスファルト乳剤とを混合した混合乳剤を散布することで木材チップ転圧面に飛来した種子が嵌り込み雑草が生えるのを防止し、周囲からの振動を緩和するように作用するので高速道や鉄道高架下、駅前等の舗装すると効果的である。
【発明を実施するための最良の形態】
【００１２】
図１（ａ）は舗装体１０の断面説明図を示し、図１（ｂ）は舗装体１０の構成説明図を示す。
図２は舗装施工手順を示す。
整地面２１の上に、藁むしろを敷設して藁むしろ層からなる有機層３０ａを形成し、その上に防草シート層４０を形成し、防草シート層４０の上にアスファルト層５０を形成する。
整地面２１は地面をバックフォー等の建機で削り、余分な砂、石を除去し水平に整地する。
藁むしろ層３０ａは、整地面に除草剤を散布し、藁むしろ材３１を複数枚重ねて、整地面２１上に敷設する。
その際に水を撒くと藁むしろ材３１が整地面になじみやすい。
防草シート層４０は、遮水性を有するビニール製等の防草シート材４１よりなり、複数枚の防草シート材４１を隙間を生じないように藁むしろ層３０ａ上に並べ、ピン材の打ち込みずれを防止する。
次に、防草シートの上にアスファルト層５０を形成し、上を車で移動出来るようにしてある。
アスファルト層５０は、隙間の少ない密粒ギャップアスファルトを用いて形成して、水を浸透しにくくし、また、飛来種子が嵌りにくいものを用いるとよい。
藁むしろ材３１は藁で編んであるため適度に弾力性があり、藁むしろ材３１を複数枚を重ねてアスファルト層の下に藁むしろ層３０ａとして敷設することで、舗装面に適度な弾力性を付加する。
【００１３】
アスファルト舗装は、ゴムキャタピラのアスファルトフィニッシャーを使うと防草シートが破れるのを防止する。
アスファルト層５０の厚さは３ｃｍ以上が良い。
アスファルト層５０の周縁部は、防草シート層４０及び藁むしろ層３０ａより拡げて周囲の構造物となじませる。
これにより藁むしろ層及び防草シート層が整地面から雑草が生えるのを防止し、アスファルト層が飛来種子にて雑草が生えるのを有効に防止する。
また、アスファルトの下に有機層が存在するので有機層を境にしてアスファルト層が剥がしやすく、舗装面の撤去が容易になる。
【００１４】
有機層を木材又は樹皮のチップを用いて舗装する別の実施例の説明図を図３に示す。
図３（ａ）は舗装体１１の断面説明図を示し、図１（ｂ）は舗装体１１の構成説明図を示す。
舗装体１１は整地面２１の上に防草シート層４０を設けて、防草シート層４０の上に木材チップ層（有機層）３０ｂを設けてある。
木材チップ層３０ｂは防草シート層４０上に木材チップ３２を敷設して、その上から除草剤とアスファルト乳剤とを混合した乳剤を散布して、防草シート層４０上に形成してある。
整地面２１は、遮水性を有する防草シート層４０で覆って防草を図ってある。
木材チップ層３０ｂの木材チップ３２は、建設廃材等の廃棄木材をリサイクル加工して形成すると良い。
木材チップ３２は除草剤を混ぜたアスファルト乳剤を散布することで、飛来した種子が木材チップ３２に嵌って発芽すること等の植物の生育を防止し、木材チップ３２自体の防虫も図ってある。
【００１５】
木材チップ層を設ける舗装の施工方法について図４を用いて説明する。
まず、舗装１１を設ける地面をバックフォー等の建機で削り、余分な砂、土、石を除去して水平に整えて図４（ａ）に示すように整地面２１を形成する。
次いで、防草シート材４１を整地面２１上に整地面２１を覆うように並べて敷設して、図４（ｂ）に示すように防草シート層４０を整地面２１の上に形成する。
防草シート材４１は、並べた位置がずれて隙間が出来ないように整地面２１にピン材（図示省略）で留める。
次いで、木材チップ３２を防草シート層４０の上に敷設して、木材チップ３２の上から除草剤とアスファルト乳剤とを所定割合で混合した混合乳剤を散布する。
この乳剤散布は周囲の整地面や構造物に飛び散らないように養生した上で行うと良い。
木材チップ層３０ｂは、静的荷重を加えて均一に敷きならした後の厚みが約５ｃｍ程度となるように形成すると良い。
【図面の簡単な説明】
【００１６】
【図１】藁むしろ材を用いて有機層を形成した例を示す。
【図２】藁むしろ材を用いて有機層を形成する舗装の施工方法の説明図を示す。
【図３】木材チップを用いて有機層を形成した実施例を示す。
【図４】木材チップを用いて有機層を形成する舗装の施工方法の説明図を示す。
【符号の説明】
【００１７】
１０、１１  舗装体
２０    整地層
２１    整地面
３０a    有機層（藁むしろ層）
３０ｂ    有機層（木材チップ層）
３１    藁むしろ材
３２    木材チップ
４０    防草シート層
４１    防草シート材
５０    アスファルト層
【図１】
2008025228.tif 000003
【図２】
2008025228.tif 000004
【図３】
2008025228.tif 000005
【図４】
2008025228.tif 000006